(57)【要約】【課題】濃度酸素ガスを長時間に亘って効率良く吸引することが可能な高酸素吸引装置を提供する。【解決手段】マッサージ用ベッド２のベッド本体２ａの通気開口２ｃに枕体３の通気凹部３ａを連通させて設置する。枕体３の通気凹部３ａの上側に顔部を設置した利用者は、枕体３の通気凹部３ａ内に高濃度酸素ガスの雰囲気を形成した状態においても、枕体３の通気凹部３ａを側方に向けて開口させる通気開口３ｂを介して外気を吸引できる。高濃度酸素ガスの酸素溜まりに顔部を設置した状態であっても息苦しくないから、通気凹部３ａ内に溜まった高濃度酸素ガスを長時間に亘って効率良く吸引できる。【選択図】図１
2012050491.tif 000002
【特許請求の範囲】
【請求項１】
利用者の顔部が上側に設置される凹部、およびこの凹部に連通して設けられた通気開口を備えたマット体と、
高濃度酸素ガスの雰囲気を前記マット体の凹部内に形成させる酸素溜まり形成手段と
を具備していることを特徴とした高濃度酸素ガス吸引装置。
【請求項２】
マット本体の凹部は、上下方向に貫通して設けられ、
酸素溜まり形成手段は、前記凹部の下側に取り付けられるカップ体である
ことを特徴とした請求項１記載の高濃度酸素ガス吸引装置。
【請求項３】
上下方向に貫通した吸気開口を有するベッド体を具備し、
マット体は、このマット体の凹部を前記ベッド体の吸気開口に連通させて設置され、
カップ体は、前記ベッド体の吸気開口の下側に取り付けられている
ことを特徴とした請求項２記載の高濃度酸素ガス吸引装置。
【請求項４】
ベッド体の下側の吸気開口の両縁には、一対の被係合部が設けられ、
カップ体の上側の開口縁には、前記ベッド体の一対の被係合部に取り外し可能に係合される係合部が設けられている
ことを特徴とした請求項３記載の高濃度酸素ガス吸引装置。
【請求項５】
ベッド体の下側の吸気開口の両縁には、フック面およびループ面のいずれか一方を有する第１の面ファスナがそれぞれ取り付けられ、
前記カップ体は、フック面およびループ面のいずれか他方を有する第２の面ファスナによって、前記吸気開口の下側に着脱可能に取り付けられている
ことを特徴とした請求項３記載の高濃度酸素ガス吸引装置。
【発明の詳細な説明】
【技術分野】
【０００１】
本発明は、利用者に高濃度酸素を吸引させるための高濃度酸素ガス吸引装置に関する。
【背景技術】
【０００２】
従来、この種の高濃度酸素ガス吸引装置としては、例えば下記特許文献１に記載のように、利用者がうつ伏せでマッサージ用ベッド上に寝た状態で、この利用者の顔部が設置される部分に設けられた通気開口の下側から、高濃度酸素を供給して利用者に吸引させるものが知られている。
【先行技術文献】
【特許文献】
【０００３】
【特許文献１】特開２００６−８１８７９号公報
【発明の概要】
【発明が解決しようとする課題】
【０００４】
しかしながら、上記特許文献１にかかる従来技術によれば、マッサージ用ベッドの通気開口の下側から高濃度酸素を供給するだけの構成に過ぎないため、この通気開口内に高濃度酸素の雰囲気が確実に形成されるものの、この通気開口に顔部を設置した利用者にとっては、常に高濃度酸素を吸引しなければならない状態とされており、非常に息苦しく、長時間に亘って高濃度酸素を吸引することが容易ではなく、マッサージを受けながら高濃度酸素を吸引し続けることが容易ではないという問題を有している。
【０００５】
そこで本発明は、従来技術における上記問題を解決し、高濃度酸素ガスを長時間に亘って効率良く吸引することが可能な高酸素吸引装置を提供することを目的とする。
【課題を解決するための手段】
【０００６】
この課題を解決するため、請求項１にかかる本発明は、利用者の顔部が上側に設置される凹部、およびこの凹部に連通して設けられた通気開口を備えたマット体と、高濃度酸素ガスの雰囲気を前記マット体の凹部内に形成させる酸素溜まり形成手段とを具備している、ことを特徴とした高濃度酸素ガス吸引装置である。
【０００７】
請求項２は、請求項１の高濃度酸素ガス吸引装置において、マット本体の凹部は、上下方向に貫通して設けられ、酸素溜まり形成手段は、前記凹部の下側に取り付けられるカップ体である、ことを特徴とする。
【０００８】
請求項３は、請求項２の高濃度酸素ガス吸引装置において、上下方向に貫通した吸気開口を有するベッド体を具備し、マット体は、このマット体の凹部を前記ベッド体の吸気開口に連通させて設置され、カップ体は、前記ベッド体の吸気開口の下側に取り付けられている、ことを特徴とする。
【０００９】
請求項４は、請求項３の高濃度酸素ガス吸引装置において、ベッド体の下側の吸気開口の両縁には、一対の被係合部が設けられ、カップ体の上側の開口縁には、前記ベッド体の一対の被係合部に取り外し可能に係合される係合部が設けられている、ことを特徴とする。
【００１０】
請求項５は、請求項３の高濃度酸素ガス吸引装置において、ベッド体の下側の吸気開口の両縁には、フック面およびループ面のいずれか一方を有する第１の面ファスナがそれぞれ取り付けられ、前記カップ体は、フック面およびループ面のいずれか他方を有する第２の面ファスナによって、前記吸気開口の下側に着脱可能に取り付けられている、ことを特徴とする。
【発明の効果】
【００１１】
本発明によれば、マット体の凹部に連通して通気開口が設けられているため、マット体の凹部に顔部を設置させた利用者にとっては、このマット体の凹部内に高濃度酸素ガスの雰囲気を形成させた状態においても、マット体の通気開口を介して外気を吸引できるため、息苦しくなく、高濃度酸素ガスを長時間に亘って効率良く吸引することができる。
【００１２】
また、マット本体の上下方向に貫通して設けられた凹部の下側にカップ体が取り付けられて、酸素溜まり形成手段とされているため、マット体の凹部内における高濃度酸素ガスの雰囲気の形成が簡単な構成で確実にできる。
【００１３】
さらに、マット体の凹部をベッド体の上下方向に貫通した吸気開口に連通させて設置し、このベッド体の吸気開口の下側にカップ体を取り付けたことにより、このベッド体にうつ伏せに寝た状態でマッサージを受けながら、このベッドの吸気開口を介してマット体の凹部内の高濃度酸素ガスを長時間に亘って効率良く吸引できるため、マッサージによる効果と高濃度酸素ガス吸引による効果を同時に受けることができる。
【００１４】
そして、ベッド体の下側の吸気開口の両縁に設けた一対の被係合部に、カップ体の開口両縁に設けた係合部を係合させることにより、このカップ体がベッド体の吸気開口の下側に取り外し可能に取り付けられるため、このカップ体の取り付けおよび取り外しが容易にでき、このカップ体の衛生管理を容易に行うことができる。
【００１５】
また、ベッド体の下側の吸気開口の両縁に取り付けられたフック面およびループ面のいずれか一方を有する第１の面ファスナと、フック面およびループ面のいずれか他方を有する第２の面ファスナとによって、ベッド体の吸気開口の下側にカップ体を着脱可能に取り付けることができ、カップ体の着脱が容易にできるから、このカップ体の衛生管理を容易に行うことができる。
【図面の簡単な説明】
【００１６】
【図１】本発明の第１の実施の形態による高濃度酸素ガス吸引装置を示す概略図である。
【図２】上記高濃度酸素ガス吸引装置の一部を示す概略平面図である。
【図３】上記高濃度酸素ガス吸引装置を示す概略平面図である。
【図４】上記高濃度酸素ガス吸引装置の一部を示す概略底面図である。
【図５】本発明の第２の実施の形態による高濃度酸素ガス吸引装置を示す概略平面図である。
【図６】上記高濃度酸素ガス吸引装置を示す概略断面図である。
【図７】本発明の第３の実施に形態による高濃度酸素ガス吸引装置の一部を示す概略断面図である。
【発明を実施するための最良の形態】
【００１７】
本発明の第１の実施の形態による高濃度酸素ガス吸引装置について図１ないし図４を参照して説明する。
【００１８】
この高濃度酸素ガス吸引装置１は、図１に示すように、マッサージ用ベッド２に取り付けられており、このマッサージ用ベッド２上にうつ伏せに寝そべった利用者（被施術者）に対し、施術師等のマッサージ師による指圧マッサージ等のマッサージを受けさせながら、高濃度酸素の吸引を可能にする装置である。ここで、このマッサージ用ベッド２は、マッサージを受ける利用者が寝そべるための略矩形平板状のベッド本体２ａを備えており、このベッド体２ａの下面の各角部には細長円柱状の脚体２ｂがそれぞれ取り付けられている。そして、このベッド本体２ａの長手方向の一端寄りの位置には、このベッド本体２ａの上下方向、すなわち厚さ方向に貫通した吸気開口２ｃが設けられている。この吸気開口２ｃは、図２に示すように、ベッド本体２の幅方向の中心位置に設けられており、このベッド体２ａの長手方向に長径方向を沿わせた上面視長孔状に形成されている。すなわち、この通気開口２ｃは、マッサージ用ベッド２のベッド本体２ａ上に利用者がうつ伏せで寝そべった場合に、この利用者の顔部の口部や鼻部が吸気開口２ｃ内に入り込んで、この利用者の呼吸を確保させるものである。
【００１９】
さらに、マッサージ用ベッド２のベッド本体２ａ上には、このベッド本体２ａ上にうつ伏せで寝そべった利用者の顔部を上側から設置させるためのマット体としての枕体３が設置されている。この枕体３は、図２に示すように、上面視略円形状に形成されており、この枕体３の中心位置から外側に向けて切り欠かれた形状の通気凹部３ａが設けられている。この通気凹部３ａは、枕体２の上下方向、すなわち厚さ方向に貫通して設けられており、この通気凹部２ａから径方向に拡開されて通気開口３ｂが設けられている。そして、枕体３は、この枕体３の通気凹部３ａをベッド本体２ａの吸気開口２ｃに上下方向に連通させつつ、この枕体３の通気開口３ｂをベッド体２ａの長手方向の他端側に向けた状態で、このベッド本体２ａ上に設置されている。
【００２０】
また、マッサージ用ベッド２のベッド本体２ａ上には、このベッド本体２ａ上にうつ伏せね寝そべり枕体３の通気凹部３ａに顔部を設置させた利用者の胸部を支持するための胸部マット４が設置されている。この胸部マット４の長手方向の一端側の幅方向の中心部には、利用者の顎部の設置を回避させるための上面視凹状の切欠凹部４ａが設けられている。さらに、胸部マット４は、この胸部マット４の長手方向の一端側から他端側に向けて徐々に薄くなるように上面部４ｂが傾斜して構成されている。
【００２１】
一方、図１、図３および図４に示すように、マッサージ用ベッド２のベッド本体２ａの下面には、このベッド本体２ａの吸気開口２ｃを介して、枕体３の通気凹部３ａ内に、高濃度酸素ガスの雰囲気、すなわち高濃度酸素溜まりを形成させるための酸素溜まり形成手段としてのカップ体５が取り付けられている。このカップ体５は、透明であり、上面視略矩形状である有底筒状に形成されており、好ましくは１０ｃｍ程度の深さ寸法を有し、ベッド本体２ａの吸気開口２ｃの大きさより大きな底面積を有している。なお、このカップ体５としては、使用状況等に応じ、透明以外の半透明、有色透明または白色など、さまざまな色彩にすることもできる。具体的に、このカップ体５は、ベッド本体２ａの下側から、このベッド本体２ａの吸気開口２ｃを覆うように取り付けられている。さらに、このカップ体５の長手方向の一側面には、円形状の挿入孔５ａが形成されており、この挿入孔５ａには、高濃度酸素ガスをカップ体５内に導入するためのホース体６の一端部が挿入されて取り付けられている。そして、このホース体６の他端部は、高濃度酸素ガスを生成する高濃度酸素ガス生成装置７に接続されている。
【００２２】
ここで、この高濃度酸素ガス生成装置７は、酸素ガスを濃縮して、例えば酸素ガス濃度が９０％以上の高濃度酸素ガスを生成する酸素濃縮器であり、ホース体６を介してカップ体５内に高濃度酸素ガスを導入することによって、マット体４の通気凹部３ａ内の空間に、３０％以上、好ましくは５０％以上、より好ましくは７０％以上の酸素ガス濃度を有する高濃度酸素ガスの雰囲気、すなわち高濃度酸素溜まり領域を形成させる。
【００２３】
一方、マッサージ用ベッド２のベッド本体２ａの下面側の吸気開口２ｃの両縁部には、一対の被係合部としての第１の面ファスナ８がそれぞれ取り付けられている。これら第１の面ファスナ８は、テープ状に形成されており、この第１の面ファスナ８の一側面である表面には、フック面と、このフック面が係脱可能に係合されるループ面とのいずれか一方、例えばフック面８ａが形成されている。そして、これら第１の面ファスナ８は、これら第１の面ファスナ８の長手方向をベッド本体２ａの長手方向に沿わせつつ、カップ体５の幅寸法より若干大きな間隔を空けた状態で、これら第１の面ファスナ８の裏面がベッド本体２ａの下面に貼り付けられて固定されている。
【００２４】
そして、これら第１の面ファスナ８には、フック面およびループ面のいずれか他方、例えばループ面９ａが表面に形成された係合部としての第２の面ファスナ９が取り外し可能に取り付けられている。具体的に、この第２の面ファスナ９は、図３および図４に示すように、ベッド本体２ａの下側から吸気開口２ｃを覆うようにカップ体５を位置させた状態で、このカップ体５の外側を覆って取り付けられており、これら第２の面ファスナ９のループ面９ａの長手方向の両端部を第１の面ファスナ８のフック面８ａにそれぞれ係合させて固定させ、ベッド本体２ａの下側にカップ体５を位置決め固定させる。ここで、この第２の面ファスナ９は、図４に示すように、一対の第２の面ファスナ９がカップ体５の長手方向に離間されてそれぞれ取り付けられており、これら第２の面ファスナ９の両端部のループ面９ａが第１の面ファスナ８のフック面８ａに接触されて取り外し可能に係合されて取り付けられている。
【００２５】
次に、上記高濃度酸素ガス吸引装置１の作用について説明する。
【００２６】
＜準備＞
利用者がマッサージ等の施術を受けながら高濃度酸素ガスを吸引したいと希望した場合には、マッサージ用ベッド２のベッド本体２ａの下側から、このベッド本体２ａの吸気開口２ｃを覆うようにカップ体５を位置させる。この状態で、このカップ体５の外側に第２の面ファスナ９のループ面９ａ側を向けてカップ体５を押えつつ、この第２の面ファスナ９の両側部のループ面９ａを、ベッド本体２ａの下面の吸気開口２ｃの両側縁に取り付けられている第１の面ファスナ８のフック面８ａに係合させてカップ体５を位置決め固定し、このカップ体５にてベッド体２ａの吸気開口２ｃの下側を覆った状態とする。
【００２７】
次いで、ホース体６の一端側をカップ体５の挿入孔５ａに挿入して取り付けるとともに、このホース体６の他端側を高濃度酸素ガス生成装置７に接続した後、マッサージ用ベッド２のベッド本体２ａ上に設置されている枕体３の通気凹部３ａが、このベッド本体２ａの吸気開口２ｃに連通しているかどうか確認し、このベッド本体２ａの吸気開口２ｃに枕体３の通気凹部３ａを連通させた状態にしてから、高濃度酸素ガス生成装置７をオンして駆動させて高濃度酸素ガスを生成させる。このとき、この高濃度酸素ガス生成装置７にて生成された高濃度酸素ガスは、例えば９０％以上の酸素ガス濃度を有しており、ホース体６を介してカップ体５内へ導入されて供給され、このカップ体５内に堆積し、ベッド本体２ａの吸気開口２ｃを介して枕体３の通気凹部３ａ内に、例えば５０％以上の酸素ガス濃度を有する高濃度酸素ガスの酸素溜まりを形成させる。
【００２８】
この状態で、マッサージ用ベッド２のベッド本体２ａ上に利用者をうつ伏せの状態で寝そべらせ、この利用者の顔部を枕体３の上側から設置させ、この利用者の口部および鼻部を枕体３の通気凹部３ａ内に位置させる。さらに、この利用者の胸部を胸部マット４上に設置させるとともに、この利用者の顎部が胸部マット４の切欠凹部４ａ内に入り込むように設置させる。
【００２９】
この後、このマッサージ用ベッド２にうつ伏せで寝そべっている利用者を、施術師等のマッサージ師が指圧マッサージ等のマッサージを行うとともに、この状態で利用者が呼吸をすることにより、高濃度酸素ガスが吸引され、マッサージによる様々な治療効果と、高濃度酸素ガスを吸引することによる疲労回復効果やリラックス効果等の効果とを同時に受けることができる。
【００３０】
ここで、利用者の顔部を枕体３の上側に設置させ、この利用者の口部および鼻部を枕体３の通気凹部３ａ内に位置させた状態において、この枕体３の通気凹部３ａに連続した通気開口３ｂが径方向に向けて拡開されていることにより、この状態で、利用者が息を吐き出した場合においては、この利用者が吐き出した息が枕体３の通気開口３ｂから効率良くほぼ自然に枕体３の外部に吐き出すことができるとともに、利用者が息を吸い込む場合においては、通気凹部３ａ内に溜まっている高濃度酸素ガスを効率良く吸引でき、通気開口３ｂを介して外気を吸引することもできるから、息苦しくなく、高濃度酸素ガスを長時間に亘って効率良く吸引し続けることができる。
【００３１】
＜交換＞
そして、マッサージおよび高濃度酸素ガスの吸引の時間が終了した場合においては、高濃度酸素ガス生成装置７の駆動をオフし、利用者をマッサージ用ベッド２から退出させる。この後、このマッサージ用ベッド２のベッド本体２ａの下側に取り付けられている第２の面ファスナ９を引っ張る等して第１の面ファスナ８から取り外して、このベッド本体２ａの吸気開口２ｃからカップ体５を取り外す。そして、このカップ体５の挿入孔５ａからホース体６の一端部を引き抜いて取り外すとともに、このホース体６の他端部を高濃度酸素ガス生成装置７から取り外した後、これらホース体６およびカップ体５のそれぞれを消毒し、次の利用者が利用可能な状態にしておく。
【００３２】
前述のように、マッサージ用ベッド２のベッド本体２ａの通気開口２ｃに連通して設置される通気凹部３ａを有する枕体３に、この枕体３の通気凹部３ａを側方に向けて開口させる通気開口３ｂを設けた構成とした。この結果、この枕体３の通気凹部３ａの上側から顔部を設置させた利用者にとっては、高濃度酸素ガス生成装置７にて生成した高濃度酸素ガスを枕体３の通気凹部３ａ内に導入させて高濃度酸素ガスの雰囲気を形成させた状態においても、この枕体３の通気開口３ｂを介して外気を吸引することができる。このため、高濃度酸素ガスの酸素溜まりに顔部を設置させた状態であっても息苦しくないから、通気凹部３ａ内に溜められた高濃度酸素ガスを長時間に亘って効率良く吸引することができる。
【００３３】
一方、マッサージ用ベッド２のベッド本体２ａの吸気開口２ｃの下側にカップ体５を取り付けることにより、このカップ体５が枕体３の通気凹部３ａの下側に取り付けられた状態となり、この通気凹部３ａ内に高濃度酸素ガスの雰囲気を形成させる手段となるため、この枕体３の通気凹部３ａ内への高濃度酸素ガスの雰囲気の形成が簡単な構成で確実にできる。
【００３４】
このとき、枕体３の通気凹部３ａをマッサージ用ベッド２のベッド本体２ａの通気開口２ｃに連通させて設置しつつ、この通気開口２ｃの下側にカップ体５を取り付けて、枕体３の通気凹部３ａ内に高濃度酸素ガスの雰囲気を形成させる構成とした。この結果、このマッサージ用ベッド２のベッド本体２ａ上にうつ伏せに寝そべりつつ、枕体３の通気凹部３ａに口部や鼻部を位置させて、この枕体３上に顔部を設置させることにより、この状態で、マッサージを受けながら、枕体３の通気凹部３ａ内に供給されてくる高濃度酸素ガスを長時間に亘って効率良く吸引できる。したがって、マッサージによる様々な治療効果と、高濃度酸素ガスを吸引することによる疲労回復効果やリラックス効果等の効果とを同時に受けることができるため、利用者へのサービスを向上できる。
【００３５】
特に、酸素吸引用の器具を鼻等に取り付けて高濃度酸素を吸引する場合に比べ、何らの器具等を肌に触れさせることがなく、無意識のうちにマッサージを受けながら高濃度酸素を吸引することができ、気持ちの上での拘束感が異なることから、マッサージを受けた際の脳からのα波の発生が生じやすくなり、よりリラックス効果を高めることができるとともに、マッサージによる治療効果においてもプラスアルファ（＋α）の効果を期待でき、かつ外傷等の治療効果を高めることもできる。
【００３６】
また、マッサージ用ベッド２のベッド本体２ａの下面の吸気開口２ｃの両側部に第１の面ファスナ８をそれぞれ取り付け、第２の面ファスナ９の両側部を第１の面ファスナ８に係合させることによって、カップ体５をベッド本体２ａの下側から吸気開口２ｃを覆う位置に固定させる構成とした。この結果、第２の面ファスナ９にてカップ体５を覆いつつ第１の面ファスナ８に係合させることによって、このカップ体５をベッド本体２ａの下面の適正位置へ容易に取り付けることができるとともに、これら第２の面ファスナ９を引っ張る等して第１の面ファスナ８から取り外すことによって、ベッド本体２ａの下面からカップ体５を容易に取り外すことができる。したがって、このカップ体５の取り付けおよび取り外しのそれぞれを容易にできるから、このカップ体５を使用する度に着脱させて水洗いや消毒等を容易に行うことができるから、このカップ体５の衛生管理を容易にできる。
【００３７】
ここで、マッサージ用ベッド２、枕体３および胸部マット４をすでに所有するマッサージ店等においては、高濃度酸素ガス生成装置７、カップ体５およびホース体６等を新たに準備し、マッサージ用ベッド２のマット体２ａ吸気開口２ｃの下側にカップ体５を取り付け、高濃度酸素ガス生成装置７にて生成される高濃度酸素ガスを、ホース体６を介してカップ体５内に供給することによって、マッサージ用ベッド２のベッド本体２ａの吸気開口２ｃを介して枕体３の通気凹部３ａから高濃度酸素ガスを吸引できるようになる。よって、比較的少ない初期投資で高濃度酸素ガスの吸引を兼ねたマッサージサービスを行うことができるようになる。
【００３８】
また、カップ体５を透明にしたため、マッサージ用ベッド２にうつ伏せに寝そべって枕体３の通気凹部３ａに顔部を設置して高濃度酸素ガスを吸引しつつマッサージを受ける利用者の視界を遮らず、利用者への圧迫感を少なくできるから、マッサージを受けながら長時間に亘って高濃度酸素ガスを吸引することができる。さらに、カップ体５の底面が平坦面とされ、このカップ体５の側面の上下方向の中間部に挿入孔５ａが形成され、この挿入孔５ａにホース体６を挿入して高濃度酸素ガスを導入する構成としたことにより、くしゃみ等にて利用者の口から吐き出された唾液等が、カップ体５の底面にほぼ付着することとなるため、高濃度酸素ガスを導入するためのホース体６の詰まりをほぼ確実に防止できる。
【００３９】
さらに、マッサージ用ベッド２上にうつ伏せに寝そべることによって高濃度酸素ガスを吸引できるため、利用者が装置内に入って加圧された高濃度酸素ガスを吸引する酸素カプセル等に比べ、圧迫感がなく、閉所恐怖症の利用者であっても高濃度酸素ガスを吸引することができると同時に、鼓膜が破れる等のおそれがないため、鼓膜が破れやすい利用者等、様々な老若男女であっても高濃度酸素ガスを長時間に亘って吸引することができる。
【００４０】
また、胸部マッド４の設置位置をマッサージ用ベッド２の前後方向に移動させ、この胸部マット４の切欠凹部４ａと枕体３の通気開口３ｂとの間隔を調整することによって、この胸部マット４の切欠凹部４ａと枕体３の通気開口３ｂとの間からの空気の逃げを調整できるため、枕体３の通気開口３ｂからの外気の吸引率を調整できるとともに、吸引する際の高濃度酸素ガスの濃度を調整できる。したがって、この胸部マット４の切欠凹部４ａと枕体３の通気開口３ｂとの間隔を利用者の好みに応じて調整することによって、利用者の高濃度酸素ガスの吸引率を調整できるとともに、利用者が高濃度酸素ガスを吸引する際の息苦しさを少なくすることができる。
【００４１】
なお、上記第１の実施の形態では、マッサージ用ベッド２のベッド本体２ａに設けられた通気開口２ｃを介して枕体３の通気凹部３ａに高濃度酸素ガスを導入させる構成としたが、図５および図６に示す本発明の第２の実施の形態のように、枕体３の通気凹部３ａの下面側をシート体３ｃで覆って閉塞し、この通気凹部３ａ内に高濃度酸素ガスを導入する構成とすることもできる。すなわち、このシート体３ｃは、酸素溜まり形成手段として設けられている。
【００４２】
具体的に、この枕体３の通気凹部３ａは、この通気凹部３ａの下面側がシート体３ｃで覆われて閉塞されており、この通気凹部３ａに連通して設けられた通気開口３ｂもまた、この通気開口３ｂの下面側がシート体３ｃにて覆われて閉塞されている。そして、この枕体３には、この枕体３の外周面から通気凹部３ａ内に向けて直線状に貫通したホース挿入孔３ｄが設けられている。このホース挿入孔３ｄには、枕体３の外周面側からホース体６の一端側が挿入され、このホース体６の一端側の先端部がホース挿入孔３ｄから通気凹部３ａ内に突出した状態とされて取り付けられている。
【００４３】
したがって、前述のように、枕体３の通気凹部３ａおよび通気開口３ｂそれぞれの下面側をシート体３ｃで覆った構成とし、この枕体３の通気凹部３ａ内へホース体６を導入して、このホース体６を介して通気凹部３ａ内に高濃度酸素ガスを供給することにより、例えば吸気開口２ｃ等の開口部が設けられていないマッサージ用ベッド等の一般的なベッドや布団等においても、これらベッドや布団等にうつ伏せに寝そべって、枕体３の通気凹部３ａ内に口部や鼻部を位置させ、この枕体３上に顔部を設置することによって、上記第１の実施の形態と同様に、枕体３の通気凹部３ａ内の高濃度酸素ガスの酸素溜まりに顔部を設置させた状態においても息苦しくなく、この枕体３の通気凹部３ａ内に溜められた高濃度酸素ガスを長時間に亘って効率良く吸引することができる。
【００４４】
さらに、図７に示す本発明の第３の実施の形態のように、マッサージ用ベッド２のベッド本体２ａの下面の吸気開口２ｃの両側部に、一対の被係合部としての爪部１１をそれぞれ設け、これら爪部１１に係合される係合部としてのリブ状の突出片１２をカップ体５の両側部の開口外縁に形成し、このカップ体５の突出片１２をベッド本体２ａの爪部１１に係合させることによって、このカップ体５をベッド本体２ａの下面の適正位置、すなわち吸気開口２ｃを覆う位置に着脱可能に取り付けることができる構成とすることもできる。
【００４５】
具体的に、一対の爪部１１は、ベッド本体２ａの長手方向に沿って平行に離間されて取り付けられており、先端部に設けられたリブ状の係止片１１ａを対向させて取り付けられている。これら係止片１１ａもまた、ベッド本体２ａの長手方向に沿って平行に設けられており、カップ体５の幅寸法に略等しい間隔を空けて取り付けられている。一方、突出片１２は、カップ体５の幅方向の両側に位置する両側部の開口外縁のそれぞれに設けられており、互いに相対する方向に向けて突出している。また、これら突出片１２は、カップ体５の両側部の開口外縁において、このカップ体５の長手方向の略全体に亘って直線状に設けられており、一対の爪部１１の係止片１１ａの内側に係合可能な厚さ寸法に形成されている。
【００４６】
したがって、カップ体５の各突出片１２が、ベッド本体２ａの下面に取り付けられた各爪部１１の係止片１１ａに係合するように、このカップ体５の長手方向の一端側の突出片１２の端部を、各爪部１１の係止片１１ａの端部に係合させつつ、このカップ体５を長手方向に摺動させてスライド移動させ、このカップ体５の各突出片１２を各爪部１１の係止片１１ａに係合させることによって、このカップ体５をベッド本体２ａの下面の適正位置、すなわち吸気開口２ｃの下側を覆う位置に取り付けることができるので、このカップ体５のベッド本体２ａの下面への取り付けを容易にできる。
【００４７】
またこの状態から、カップ体５を長手方向に向けて摺動させてスライド移動させることによって、このカップ体５をベッド本体２ａの下面から取り外すことができるから、このカップ体５のベッド本体２ａの下面からの取り外しを容易にできる。よって、上記第１の実施の形態と同様に、カップ体５の取り付けおよび取り外しのそれぞれを容易にできるから、このカップ体５を使用する度に着脱させて消毒等することが容易にでき、このカップ体５の衛生管理を容易に行うことができる。
【００４８】
なお、上記第２の実施の形態においては、マッサージ用ベッド２のベッド本体２ａの通気開口２ｃを確実に覆うことができる位置、すなわち適正位置に、カップ体５を確実に取り付けることが容易にできるようにする点から、ベッド本体２ａの下面に取り付けられた爪部１１とカップ体５の突出片１２との少なくともいずれか一方に位置決め用のリブ等（図示せず）を設け、カップ体５をベッド本体２ａの下面に係合させる際に容易に位置決め固定できる構成とすることもできる。
【符号の説明】
【００４９】
１  高濃度酸素ガス吸引装置
２  マッサージ用ベッド（ベッド体）
２ａ  ベッド本体
２ｂ  脚部
２ｃ  吸気開口
３  枕体（マット体）
３ａ  通気凹部（凹部）
３ｂ  通気開口
３ｃ  シート体（酸素溜まり形成手段）
３ｄ  ホース挿入孔
４  胸部マット
４ａ  切欠凹部
４ｂ  上面部
５  カップ体（酸素溜まり形成手段）
５ａ  挿入孔
６  ホース体
７  高濃度酸素ガス生成装置
８  第１の面ファスナ（被係合部）
８ａ  フック面
９  第２の面ファスナ（係合部）
９ａ  ループ面
１１  爪部（被係合部）
１１ａ  係止片
１２  突出片（係合部）
【図１】
2012050491.tif 000003
【図２】
2012050491.tif 000004
【図３】
2012050491.tif 000005
【図４】
2012050491.tif 000006
【図５】
2012050491.tif 000007
【図６】
2012050491.tif 000008
【図７】
2012050491.tif 000009